(57)【要約】【課題】  エンジン冷却水を保温状態で一時的に蓄える蓄熱システムを用いて燃費の向上を図る。【解決手段】  エンジンＥＣＵは、エンジン冷却水温を検知するステップ（Ｓ１００）と、エンジン冷却水温が予め定められた範囲にない場合（Ｓ１１０にてＮＯ）またはエンジン冷却水温が予め定められた範囲にあってもエンジン冷却水温の時間変化率が予め定められた範囲にない場合（Ｓ１１０にてＹＥＳ、Ｓ１３０にてＮＯ）において、エンジンオイル油温に基づいてエンジン冷却水温低下要求があると（Ｓ１５０にてＹＥＳ）エンジン冷却水温低下処理を実行するステップと、エンジンオイル油温に基づいてエンジン冷却水温上昇要求があると（Ｓ１６０にてＹＥＳ）エンジン冷却水温上昇処理を実行するステップとを含む、プログラムを実行する。【選択図】        図２
2006161744.tif 000002
【特許請求の範囲】
【請求項１】
内燃機関に設けられた流路を循環する液媒体の一部を保温貯蔵するための貯蔵手段と、前記貯蔵手段内の液媒体を前記内燃機関との間で循環させるための循環手段とが搭載された車両の制御装置であって、
前記内燃機関の温度を検知するための手段と、
前記貯蔵手段における液媒体の温度を検知するための手段と、
前記検知された内燃機関の温度および前記液媒体の温度に基づいて、前記内燃機関の潤滑油の油温が予め定められた範囲内に収まるように、前記貯蔵手段内の液媒体の前記内燃機関への供給および前記供給の停止を行なうように、前記循環手段を制御するための制御手段とを含む、車両の制御装置。
【請求項２】
前記制御手段は、前記検知された温度に基づいて、到達する内燃機関の油温を予測して、前記油温が予め定められた範囲内に収まるように、前記循環手段を制御するための手段を含む、請求項１に記載の車両の制御装置。
【請求項３】
前記制御手段は、前記検知された温度の時間変化率に基づいて、到達する内燃機関の油温を予測して、前記油温が予め定められた範囲内に収まるように、前記循環手段を制御するための手段を含む、請求項１に記載の車両の制御装置。
【請求項４】
前記貯蔵手段には、前記内燃機関よりも低温の液媒体が貯蔵され、
前記制御手段は、前記低温の液媒体を前記内燃機関に供給することにより、前記油温が前記予め定められた範囲の上限温度よりも低くなるように、前記循環手段を制御するための手段を含む、請求項１〜３のいずれかに記載の車両の制御装置。
【請求項５】
前記車両には、前記液媒体を放熱するための放熱手段がさらに搭載され、
前記制御手段は、前記貯蔵手段内の液媒体を前記内燃機関に供給するように、前記循環手段を制御するとともに、前記液媒体を前記放熱手段に供給するように前記循環手段を制御するための手段を含む、請求項４に記載の車両の制御装置。
【請求項６】
前記貯蔵手段には、前記内燃機関よりも高温の液媒体が貯蔵され、
前記制御手段は、前記高温の液媒体を前記内燃機関に供給することにより、前記油温が前記予め定められた範囲の下限温度よりも高くなるように、前記循環手段を制御するための手段を含む、請求項１〜３のいずれかに記載の車両の制御装置。
【請求項７】
前記車両には、前記液媒体を放熱するための放熱手段がさらに搭載され、
前記制御手段は、前記貯蔵手段内の液媒体を前記内燃機関に供給するように、前記循環手段を制御するとともに、前記液媒体を前記放熱手段に供給しないように、前記循環手段を制御するための手段を含む、請求項６に記載の車両の制御装置。
【請求項８】
前記循環手段は、電動式のポンプを含み、
前記制御手段は、前記ポンプへ印加される電力値を制御するための手段を含む、請求項１〜７のいずれかに記載の車両の制御装置。
【発明の詳細な説明】
【技術分野】
【０００１】
本発明は、液媒体を保温状態で一時的に蓄える蓄熱システムを搭載した車両の制御装置に関し、特に、内燃機関に高温の液媒体を供給したり、内燃機関に低温の液媒体を供給したりして、内燃機関の温度を制御する車両の制御装置に関する。
【背景技術】
【０００２】
自動車などに搭載される内燃機関が冷間状態で始動される場合には、吸気ポートや燃焼室等の壁面温度が低くなるため、燃料が霧化し難くなるとともに燃焼室の周縁部において消炎が発生し易くなり、始動性の低下や排気エミッションの悪化などが誘発される。
【０００３】
このような問題に対し、水冷式内燃機関において高温の冷却水を保温貯蔵する蓄熱装置を備え、内燃機関の始動時などに蓄熱装置に貯蔵されている冷却水を内燃機関へ供給することにより内燃機関の昇温を図り、以て始動性の向上や暖機の早期化を図る技術が提案されている。
【０００４】
たとえば、特開２００３−１８４５５３号公報（特許文献１）に開示された蓄熱装置を備えた内燃機関は、内燃機関のシリンダヘッドに形成され、熱媒体が流通する熱媒体流通路と、熱媒体流通路を流れる熱媒体の一部を保温貯蔵する蓄熱装置と、蓄熱装置から熱媒体流通路へ熱媒体を導く第１の熱媒体通路と、熱媒体流通路から蓄熱装置へ熱媒体を導く第２の熱媒体通路と、第１の熱媒体通路と第２の熱媒体通路とを択一的に導通させる通路切換手段とを備える。
【０００５】
この蓄熱装置を備えた内燃機関によると、通路切換手段が第１の熱媒体通路を導通させることにより、蓄熱装置内に保温貯蔵されている高温の熱媒体が第１の熱媒体通路を介して直接的に熱媒体流通路へ供給されるとともに、通路切換手段が第２の熱媒体通路を導通させることにより、熱媒体流通路内の高温の熱媒体が第２の熱媒体通路を介して直接的に蓄熱装置へ供給される。このように熱媒体流通路と蓄熱装置との間で直接的に熱媒体の授受が行われると、蓄熱装置から熱媒体流通路へ熱媒体を供給する際の熱損失が最小限に抑制されるとともに、熱媒体流通路から蓄熱装置へ熱媒体を供給する際の熱損失も最小限に抑制される。この結果、熱媒体流通路内の熱媒体が持つ熱量が少ない場合であっても、その少ない熱量が効率良く蓄熱装置に蓄えられることになる。
【特許文献１】特開２００３−１８４５５３号公報
【発明の開示】
【発明が解決しようとする課題】
【０００６】
しかしながら、特許文献１に開示された蓄熱装置を備えた内燃機関においては、内燃機関の冷却水に着目したものに過ぎない。内燃機関（エンジン）には、シリンダとピストンとの間の摺動抵抗を低減、内燃機関の冷却等のために潤滑油（エンジンオイル）が循環されている。この潤滑油は温度によりその粘度が大きく異なる。粘度の差異は摺動抵抗の差異の要因となる。また、内燃機関の潤滑油と内燃機関の冷却用の液媒体（多くの場合、冷却水）との間には強い相関関係がある。しかしながら、特許文献１に開示された内燃機関において潤滑油についての開示がないばかりか、その潤滑油の温度を制御して、燃費をより一層向上させるというための方策についての開示がない。
【０００７】
本発明は、上述の課題を解決するためになされたものであって、その目的は、液媒体を保温状態で一時的に蓄える蓄熱システムを用いて燃費の向上を図る、蓄熱システムが搭載された車両の制御装置を提供することである。
【課題を解決するための手段】
【０００８】
第１の発明に係る車両の制御装置は、内燃機関に設けられた流路を循環する液媒体の一部を保温貯蔵するための貯蔵手段と、貯蔵手段内の液媒体を内燃機関との間で循環させるための循環手段とが搭載された車両を制御する。この制御装置は、内燃機関の温度を検知するための手段と、貯蔵手段における液媒体の温度を検知するための手段と、検知された内燃機関の温度および液媒体の温度に基づいて、内燃機関の潤滑油の油温が予め定められた範囲内に収まるように、貯蔵手段内の液媒体の内燃機関への供給および供給の停止を行なうように、循環手段を制御するための制御手段とを含む。
【０００９】
第１の発明によると、内燃機関は互いが摺動する多くの機械要素を有し、それらの機械要素間（たとえば、ピストンとシリンダとの間）における摺動抵抗を低減するために潤滑油が循環されている。この潤滑油の油温が適正温度範囲にある場合に摺動抵抗を低下させることができるとともに、適切な油圧を確保することができる。この油温は、内燃機関の温度と相関関係があり、内燃機関は液媒体により冷却されたり暖機されたりするので、結果的に内燃機関の液媒体の温度と潤滑油の油温とが相関関係がある。このため、液媒体により内燃機関の温度安定性が高まると（適正温度範囲にあることが維持されると）、内燃機関の潤滑油の温度安定性も高まり、機関要素間の摺動抵抗を低減できるとともに、十分な油圧を確保することができる。そのため、制御手段は、内燃機関の温度がその上限値よりも高いと貯蔵手段内の低温の液媒体を内燃機関に供給するように循環手段を制御して内燃機関の温度を低下せしめて油温を低下させて、内燃機関の温度がその下限値よりも低いと貯蔵手段内の高温の液媒体を内燃機関に供給するように循環手段を制御して内燃機関の温度を上昇せしめて油温を上昇させて、潤滑油の油温を予め定められた範囲内に収める。このときに、検知された内燃機関の温度および液媒体の温度に基づいて、たとえばオーバーシュートやアンダーシュートが発生しないように、到達する液媒体の温度や潤滑油の温度を予測する。このようにすることにより、潤滑油の温度安定性が高まり、機関要素間の摺動抵抗を低減できるとともに、十分な油圧を確保することができ、燃費を向上させることができる。その結果、液媒体を保温状態で一時的に蓄える蓄熱システムを用いて内燃機関の温度安定性を高めて燃費の向上を図る、蓄熱システムが搭載された車両の制御装置を提供することができる。
【００１０】
第２の発明に係る車両の制御装置においては、第１の発明の構成に加えて、制御手段は、検知された温度に基づいて、到達する内燃機関の油温を予測して、油温が予め定められた範囲内に収まるように、循環手段を制御するための手段を含む。
【００１１】
第２の発明によると、内燃機関の温度と貯蔵手段内の液媒体の温度との差およびエンジンの熱容量等に基づいて、液媒体の温度や潤滑油の油温の到達温度を予測して、予め定められた適正温度の範囲から逸脱することを発生しないようにすることができる。
【００１２】
第３の発明に係る車両の制御装置においては、第１の発明の構成に加えて、制御手段は、検知された温度の時間変化率に基づいて、到達する内燃機関の油温を予測して、油温が予め定められた範囲内に収まるように、循環手段を制御するための手段を含む。
【００１３】
第３の発明によると、内燃機関の温度の変化率に基づいて、液媒体の温度や潤滑油の油温の到達温度を予測して、予め定められた適正温度の範囲から逸脱することが発生しないように、貯蔵手段から内燃機関に供給する冷水や温水の量を算出することができる。
【００１４】
第４の発明に係る車両の制御装置においては、第１〜３のいずれかの発明の構成に加えて、貯蔵手段には、内燃機関よりも低温の液媒体が貯蔵される。制御手段は、低温の液媒体を内燃機関に供給することにより、油温が予め定められた範囲の上限温度よりも低くなるように、循環手段を制御するための手段を含む。
【００１５】
第４の発明によると、貯蔵手段には、内燃機関よりも低温の液媒体が貯蔵されており、この液媒体を用いて内燃機関の温度を低下させることができる。制御手段は、潤滑油の油温が適正範囲の上限値よりも高くなることが予測されると、貯蔵手段内の低温の液媒体を内燃機関に供給するように循環手段を制御して（液媒体の温度を低下せしめることを介して）内燃機関の温度を低下せしめて油温を低下させて、油温が適正範囲から逸脱しないようにすることができる。
【００１６】
第５の発明に係る車両の制御装置においては、第４の発明の構成に加えて、車両には、液媒体を放熱するための放熱手段がさらに搭載される。制御手段は、貯蔵手段内の液媒体を内燃機関に供給するように、循環手段を制御するとともに、液媒体を放熱手段に供給するように循環手段を制御するための手段を含む。
【００１７】
第５の発明によると、放熱手段により液媒体の熱量が放出されて液媒体の温度が低下するので、より効率的に内燃機関の温度を低下させて油温を低下させることができる。
【００１８】
第６の発明に係る車両の制御装置においては、第１〜３のいずれかの発明の構成に加えて、貯蔵手段には、内燃機関よりも高温の液媒体が貯蔵される。制御手段は、高温の液媒体を内燃機関に供給することにより、油温が予め定められた範囲の下限温度よりも高くなるように、循環手段を制御するための手段を含む。
【００１９】
第６の発明によると、貯蔵手段には、内燃機関よりも高温の液媒体が貯蔵されており、この液媒体を用いて内燃機関の温度を上昇させることができる。制御手段は、潤滑油の油温が適正範囲の下限値よりも低くなることが予測されると、貯蔵手段内の高温の液媒体を内燃機関に供給するように循環手段を制御して（液媒体の温度を上昇せしめることを介して）内燃機関の温度を上昇せしめて油温を上昇させて、油温が適正範囲から逸脱しないようにすることができる。
【００２０】
第７の発明に係る車両の制御装置においては、第６の発明の構成に加えて、車両には、液媒体を放熱するための放熱手段がさらに搭載される。制御手段は、貯蔵手段内の液媒体を内燃機関に供給するように、循環手段を制御するとともに、液媒体を放熱手段に供給しないように、循環手段を制御するための手段を含む。
【００２１】
第７の発明によると、放熱手段により液媒体の熱量が放出されないで液媒体の温度が低下しないので、より効率的に内燃機関の温度を上昇させることができる。
【００２２】
第８の発明に係る車両の制御装置においては、第１〜７のいずれかの発明の構成に加えて、循環手段は、電動式のポンプを含む。制御手段は、ポンプへ印加される電力値を制御するための手段を含む。
【００２３】
第８の発明によると、内燃機関の油温の到達温度を予測して、予め定められた適正温度の範囲から逸脱するオーバーシュートやアンダーシュートが発生しないように、貯蔵手段から内燃機関に供給する冷水や温水の量を算出して、その量だけが内燃機関に供給されるように電動ポンプを作動させる。これにより、内燃機関の温度を適正範囲から逸脱しないようにすることができ、潤滑油の油温も適正範囲から逸脱しないようにすることができる。なお、ポンプへ印加される電力値を制御するとは、電圧値や電流値を制御すること、電力印加時間を制御すること、制御デューティを変化させること等を含む。
【発明を実施するための最良の形態】
【００２４】
以下、図面を参照しつつ、本発明の実施の形態について説明する。以下の説明では、同一の部品には同一の符号を付してある。それらの名称および機能も同じである。したがってそれらについての詳細な説明は繰返さない。
【００２５】
＜第１の実施の形態＞
図１を参照して、本実施の形態に係る制御装置の制御対象である蓄熱システムの制御ブロック図を示す。
【００２６】
図１に示す蓄熱システムは、内燃機関（エンジン）を搭載した車両に適用される。なお、この車両は、エンジンのみを搭載した車両であってもよいし、エンジンとバッテリにより駆動されるモータとを搭載したハイブリッド車両のいずれであってもよい。
【００２７】
図１に示すように、この蓄熱システムは、シリンダヘッド（以下、ヘッドと記載する。）１００およびシリンダブロック１１０に設けられた冷却水流路を流れる冷却水の一部を蓄熱タンク３１０に保温して貯蔵しておいて、その冷却水を必要に応じて蓄熱タンク３１０からヘッド１００やシリンダブロック１１０に供給する。ヘッド１００およびシリンダブロック１１０とラジエータ４００またはラジエータバイパス通路４１０との間において、機械式ウォータポンプ２００により冷却水が循環される。ラジエータ４００およびラジエータバイパス通路４１０のいずれを通るかについては、流量制御弁４３０により制御される。
【００２８】
蓄熱タンク３１０からヘッド１００およびシリンダブロック１１０への冷却水の供給は電動式ウォータポンプ３００により行なわれる。電動式ウォータポンプ３００を駆動することにより、蓄熱タンク３１０内の冷却水（温水であったり冷水であったりする）が三方弁６００を介してヘッド１００、シリンダブロック１１０、ヒータコア５００等に供給される。三方弁６００は、全閉状態、全開状態（ポートＡ、ポートＢおよびポートＣを連通状態）、ポートＡとポートＢとを連通状態、ポートＡとポートＣとを連通状態、ポートＢとポートＣとを連通状態の５通りの状態を実現することができる。
【００２９】
また、この蓄熱システムの温度センサとして、ヘッド１００の冷却水出口側に設けられたエンジン冷却水温度センサ１２０と、蓄熱タンク３１０の出口側に設けられた蓄熱タンク出口温度センサ３２０と、ラジエータ４００の出口に設けられたラジエータ出口水温センサ４２０とが設けられる。これらの温度センサからの信号は、エンジンＥＣＵ（Electronic Control Unit）１０００に入力される。
【００３０】
また、エンジンＥＣＵ１０００は、電動式ウォータポンプ３００、三方弁６００、流量制御弁４３０を制御する。流量制御弁４３０は、制御デューティを変更することにより、ラジエータ４００に流通する冷却水の流量およびラジエータバイパス通路４１０を流通する冷却水の流量を制御することができる。このとき、流量制御弁４３０は、ラジエータ４００のみに、ラジエータバイパス通路４１０のみに、ラジエータ４００およびラジエータバイパス通路４１０に、冷却水を流すことができる。流量制御弁４３０は、エンジンＥＣＵ１０００から全開指令信号を受信すると、冷却水の全量をラジエータ４００に流すように、流量を制御する。また、流量制御弁４３０は、エンジンＥＣＵ１０００から全閉指令信号を受信すると、冷却水の全量をラジエータバイパス通路４１０に流すように、流量を制御する。さらに、流量制御弁４３０は、エンジンＥＣＵ１０００から指令信号を受信して、冷却水の一部をラジエータ４００に流して、残りの冷却水をラジエータバイパス通路４１０に流すように流量を制御することもできる。
【００３１】
また、エンジンＥＣＵ１０００は、電動式ウォータポンプ３００を駆動するモータの制御デューティを変更することにより、モータの回転数を制御して、電動式ウォータポンプ３００の吐出量を制御することができる。また、この制御は、電動式ウォータポンプ３００のモータの電圧を可変とすることにより行なってもよい。また、電動式ウォータポンプ３００のモータの通電時間を変更することにより、電動式ウォータポンプ３００の駆動時間を制御して、電動式ウォータポンプ３００から吐出される総冷却水量を制御するようにしてもよい。
【００３２】
図２を参照して、図１のエンジンＥＣＵ１０００で実行されるプログラムの制御構造について説明する。
【００３３】
ステップ（以下、ステップをＳと略す。）１００にて、エンジンＥＣＵ１０００は、エンジン冷却水温ＴＨＷ（１）を検知する。このとき、エンジン冷却水温ＴＨＷ（１）は、エンジン冷却水温センサ１２０からエンジンＥＣＵ１０００に入力された信号に基づいて、検知される。
【００３４】
Ｓ１１０にて、エンジンＥＣＵ１０００は、エンジン冷却水温の適正水温領域における低温側しきい値＜エンジン冷却水温ＴＨＷ（１）＜高温側しきい値であるか否かを判断する。このエンジン冷却水温の適正水温領域とは、たとえば、エンジンオイルによる機械要素間の摺動抵抗が低い領域に対応する。エンジンオイルによる摺動抵抗はエンジンオイルの粘度を関係が強く、粘度はエンジンオイルの温度（油温）と関係が強い。したがって、エンジン冷却水温からエンジンオイルの油温を推定することができ、その油温に基づいて粘度を求めることができ、摺動抵抗が低い範囲に対応するエンジン冷却水温の範囲を定めることができる。なお、本実施の形態においては油温センサを用いていないが、油温センサを用いてエンジンオイルの油温を検知して、後述するエンジン冷却水温低下処理やエンジン冷却水温上昇処理を行なうようにしてもよい。エンジン冷却水温の適正水温領域における低温側しきい値＜エンジン冷却水温ＴＨＷ（１）＜高温側しきい値であると（Ｓ１１０にてＹＥＳ）、処理はＳ１２０へ移される。もしそうでないと（Ｓ１１０にてＮＯ）、処理はＳ１４０へ移される。
【００３５】
Ｓ１２０にて、エンジンＥＣＵ１０００は、エンジン冷却水温ＴＨＷ（１）の時間変化率ｄＴＨＷ（１）／ｄｔを算出する。Ｓ１３０にて、エンジンＥＣＵ１０００は、エンジン冷却水温の適正水温領域に対応する温度低下側しきい値（変化率）＜エンジン冷却水温ＴＨＷの時間変化率ｄＴＨＷ（１）／ｄｔ＜温度上昇側しきい値（変化率）であるか否かを判断する。このエンジン冷却水温の適正水温領域に対応するしきい値（変化率）とは、適正水温領域内に収めることができる温度変化率である。この温度変化率は、現在のエンジン冷却水温ＴＨＷ（１）が相当の時間が経過した場合であっても適正水温領域から逸脱しない変化率に設定されている。温度低下側しきい値（変化率）＜エンジン冷却水温ＴＨＷの時間変化率ｄＴＨＷ（１）／ｄｔ＜温度上昇側しきい値（変化率）であると（Ｓ１３０にてＹＥＳ）、この処理は終了する。もしそうでないと（Ｓ１３０にてＮＯ）、処理はＳ１４０へ移される。
【００３６】
Ｓ１４０にて、エンジンＥＣＵ１０００は、蓄熱タンク水温ＴＨＷ（２）を検知する。このとき、蓄熱タンク水温ＴＨＷ（２）は、蓄熱タンク出口水温センサ３２０からエンジンＥＣＵ１０００に入力された信号に基づいて検知される。
【００３７】
Ｓ１５０にて、エンジンＥＣＵ１０００は、エンジンオイル油温に基づいて、エンジン冷却水温ＴＨＷ（１）を低下させる要求があるか否かを判断する。このとき、エンジン冷却水温ＴＨＷ（１）が、エンジン冷却水温の適正水温領域（この領域はエンジンオイルの十分な油圧を確保するとともにエンジンオイルによる摺動抵抗の低い、適正油温領域に対応する）における高温側しきい値以上である場合にはエンジン冷却水温が高すぎる（すなわち油温も高すぎる）としてエンジン冷却水温ＴＨＷ（１）を低下させる要求があると判断される。また、エンジン冷却水温ＴＨＷの時間変化率ｄＴＨＷ（１）／ｄｔがエンジン冷却水温の適正水温領域に対応する温度上昇側しきい値（変化率）以上である場合にはエンジン冷却水温の上昇傾向が大きすぎるとしてエンジン冷却水温ＴＨＷ（１）を低下させる要求があると判断される。エンジン冷却水温ＴＨＷ（１）を低下させる要求があると判断されると（Ｓ１５０にてＹＥＳ）、処理は図３のＳ１７０へ移される。もしそうでないと（Ｓ１５０にてＮＯ）、処理はＳ１６０へ移される。
【００３８】
Ｓ１６０にて、エンジンＥＣＵ１０００は、エンジンオイル油温に基づいて、エンジン冷却水温ＴＨＷ（１）を上昇させる要求があるか否かを判断する。このとき、エンジン冷却水温ＴＨＷ（１）が、エンジン冷却水温の適正水温領域（この領域はエンジンオイルの十分な油圧を確保するとともにエンジンオイルによる摺動抵抗の低い、適正油温領域に対応する）における低温側しきい値以下である場合にはエンジン冷却水温が低すぎる（すなわち油温も低すぎる）としてエンジン冷却水温ＴＨＷ（１）を上昇させる要求があると判断される。また、エンジン冷却水温ＴＨＷの時間変化率ｄＴＨＷ（１）／ｄｔがエンジン冷却水温の適正水温領域に対応する温度低下側しきい値（変化率）以下である場合にはエンジン冷却水温の低下傾向が大きすぎるとしてエンジン冷却水温ＴＨＷ（１）を上昇させる要求があると判断される。エンジン冷却水温ＴＨＷ（１）を上昇させる要求があると判断されると（Ｓ１６０にてＹＥＳ）、処理は図４のＳ２１０へ移される。もしそうでないと（Ｓ１６０にてＮＯ）、この処理は終了する。
【００３９】
Ｓ１７０にて、エンジンＥＣＵ１０００は、蓄熱タンク水温ＴＨＷ（２）＜エンジン冷却水温ＴＨＷ（１）−α（α＞０）であるか否かを判断する。すなわち、エンジン冷却水温ＴＨＷ（１）から予め定められた正の値αを引いた値よりも蓄熱タンク水温ＴＨＷ（２）が低い（蓄熱タンク３１０内の冷却水がエンジン冷却水温よりα分よりもさらに低い）か否かが判断される。蓄熱タンク水温ＴＨＷ（２）＜エンジン冷却水温ＴＨＷ（１）−αであると（Ｓ１７０にてＹＥＳ）、処理はＳ１８０へ移される。もしそうでないと（Ｓ１７０にてＮＯ）、この処理は終了する。
【００４０】
Ｓ１８０にて、エンジンＥＣＵ１０００は、エンジン冷却水温ＴＨＷ（１）および蓄熱タンク水温ＴＨＷ（２）に基づいて、適正油温領域保持のためのエンジン冷却水温低下用供給水量Ｑ（１）を算出する。このとき、エンジン冷却水温ＴＨＷ（１）と蓄熱タンク水温ＴＨＷ（２）との差およびエンジンの熱容量等に基づいて、エンジン冷却水温またはエンジンオイル油温の到達温度を予測して、適正水温領域下限しきい値から逸脱するアンダーシュートが発生しないようにエンジン冷却水温低下用供給水量Ｑ（１）が算出される。また、エンジン冷却水温ＴＨＷ（１）の時間変化率であるｄＴＨＷ（１）／ｄｔに基づいて、エンジン冷却水温またはエンジンオイル油温の到達温度を予測して、適正水温領域下限しきい値から逸脱するアンダーシュートが発生しないようにエンジン冷却水温低下用供給水量Ｑ（１）が算出される。
【００４１】
Ｓ１９０にて、エンジンＥＣＵ１０００は、蓄熱タンク３１０からエンジンに流量Ｑ（１）の冷却水（冷水）を供給するように電動式ウォータポンプ３００に制御指令信号を出力する。このときの制御指令信号は、流量Ｑ（１）の冷却水（冷水）を供給することができるものであれば特に限定されない。
【００４２】
Ｓ２００にて、エンジンＥＣＵ１０００は、流量制御弁４３０を全開にするような指令信号（全開指令信号）を出力する。流量制御弁４３０は、この全開指令信号を受信すると冷却水の全量がラジエータ４２０に流れるように制御する。その後、この処理は終了する。
【００４３】
Ｓ２１０にて、エンジンＥＣＵ１０００は、蓄熱タンク水温ＴＨＷ（２）＞エンジン冷却水温ＴＨＷ（１）＋β（β＞０）であるか否かを判断する。すなわち、エンジン冷却水温ＴＨＷ（１）から予め定められた正の値βを加えた値よりも蓄熱タンク水温ＴＨＷ（２）が高い（蓄熱タンク３１０内の冷却水がエンジン冷却水温よりβ分よりもさらに高い）か否かが判断される。蓄熱タンク水温ＴＨＷ（２）＞エンジン冷却水温ＴＨＷ（１）＋βであると（Ｓ２１０にてＹＥＳ）、処理はＳ２２０へ移される。もしそうでないと（Ｓ２１０にてＮＯ）、この処理は終了する。
【００４４】
Ｓ２２０にて、エンジンＥＣＵ１０００は、エンジン冷却水温ＴＨＷ（１）および蓄熱タンク水温ＴＨＷ（２）に基づいて、適正油水領域保持のためのエンジン冷却水温上昇用供給水量Ｑ（２）を算出する。このとき、エンジン冷却水温ＴＨＷ（１）と蓄熱タンク水温ＴＨＷ（２）との差およびエンジンの熱容量等に基づいて、エンジン冷却水温またはエンジンオイル油温の到達温度を予測して、適正水温領域上限しきい値から逸脱するオーバーシュートが発生しないようにエンジン冷却水温上昇用供給水量Ｑ（２）が算出される。また、エンジン冷却水温ＴＨＷ（１）の時間変化率であるｄＴＨＷ（１）／ｄｔに基づいて、エンジン冷却水温またはエンジンオイル油温の到達温度を予測して、適正水温領域上限しきい値から逸脱するオーバーシュートが発生しないようにエンジン冷却水温上昇用供給水量Ｑ（２）が算出される。
【００４５】
Ｓ２３０にて、エンジンＥＣＵ１０００は、蓄熱タンク３１０からエンジンに流量Ｑ（２）の冷却水（温水）を供給するように電動式ウォータポンプ３００に制御指令信号を出力する。このときの制御指令信号は、流量Ｑ（２）の冷却水（温水）を供給することができるものであれば特に限定されない。
【００４６】
Ｓ２４０にて、エンジンＥＣＵ１０００は、流量制御弁４３０を全閉にするような指令信号（全閉指令信号）を出力する。流量制御弁４３０は、この全閉指令信号を受信すると冷却水の全量がラジエータバイパス通路４１０に流れるように制御する。その後、この処理は終了する。
【００４７】
以上のような構造およびフローチャートに基づく、本実施の形態に係る蓄熱システムの動作について説明する。
【００４８】
上述した蓄熱システムを搭載した車両が走行中に、十分な油圧を確保しつつ、適正な粘度の潤滑油による摺動抵抗の低減により燃費が向上されるためには、エンジンオイル油温（エンジン冷却水温と相関関係が強い）が適正油温領域内になければならない。エンジン冷却水温ＴＨＷ（１）が検知され（Ｓ１００）、エンジン冷却水温の適正水温領域における低温側しきい値＜エンジン冷却水温ＴＨＷ（１）＜高温側しきい値でない場合（Ｓ１１０にてＮＯ）には、エンジン冷却水温低下処理（Ｓ１７０〜Ｓ２００）やエンジン冷却水温上昇処理（Ｓ２１０〜Ｓ２４０）が行なわれる。すなわち、エンジン冷却水温が適正水温領域内にないので、エンジンオイル油温も適正水温領域内にないと判断されて、エンジンオイル油温の適正領域内になるように、エンジン冷却水温ＴＨＷ（１）が適正水温領域内になるように処理される。
【００４９】
エンジン冷却水温の適正水温領域における低温側しきい値＜エンジン冷却水温ＴＨＷ（１）＜高温側しきい値であっても（Ｓ１１０にてＹＥＳ）、エンジン冷却水温の適正水温領域に対応する温度低下側しきい値（変化率）＜エンジン冷却水温ＴＨＷの時間変化率ｄＴＨＷ（１）／ｄｔ＜温度上昇側しきい値（変化率）でないと、エンジン冷却水温低下処理（Ｓ１７０〜Ｓ２００）やエンジン冷却水温上昇処理（Ｓ２１０〜Ｓ２４０）が行なわれる。すなわち、エンジン冷却水温が適正水温領域内にあっても、温度変化率がしきい値の範囲内にないので、エンジンオイル油温も適正水温領域内にない状態に移行すると判断されて、エンジンオイル油温の適正範囲領域から逸脱しないように、エンジン冷却水温ＴＨＷ（１）が適正水温領域内から逸脱しないように処理される。
【００５０】
＜エンジン冷却水温低下処理（エンジンオイル油温低下処理）＞
エンジン冷却水温ＴＨＷ（１）がエンジン冷却水温の適正水温領域における高温側しきい値以上である場合にはエンジン冷却水温が高すぎる（エンジンオイル油温も高すぎる）として、また、エンジン冷却水温ＴＨＷの時間変化率ｄＴＨＷ（１）／ｄｔがエンジン冷却水温の適正水温領域に対応する温度上昇側しきい値（変化率）以上である場合にはエンジン冷却水温の上昇傾向が大きすぎる（エンジンオイル油温の上昇傾向も大きすぎる）として、エンジン冷却水温ＴＨＷ（１）を低下させて、エンジンオイル油温を低下させるように処理される。
【００５１】
エンジン冷却水温ＴＨＷ（１）に対して、蓄熱タンク水温ＴＨＷ（２）が十分に低いと（Ｓ１７０にてＹＥＳ）、蓄熱タンク３１０内の冷却水（冷水）を用いてエンジン冷却水温ＴＨＷ（１）を低下させることができる。このとき、エンジン冷却水温ＴＨＷ（１）自体やその時間変化率に基づいてエンジン冷却水温ＴＨＷ（１）またはエンジンオイル油温の到達温度が予測されて、アンダーシュートが発生しないようなエンジン冷却水温低下用供給水量Ｑ（１）が算出される。
【００５２】
図５に、このような動作の状態を示す。図５に示すように、従来においては一点鎖線で示すように、エンジン冷却水温低下処理（エンジンオイル油温低下処理）において、エンジンオイル油温が適正油温範囲（たとえば粘度の低い摺動抵抗の低い領域）を下回ってしまうアンダーシュートが発生していた。すなわち、エンジンオイル油温を考慮した制御が行なわれないで、エンジン冷却水温度による、いわゆる「なりゆき制御」となっていた。このときに、油温が低下して粘度が上がり摺動抵抗が高くなりエンジンロスを増大させていた。一方、本発明に係る制御装置においては、実線で示すように、エンジンオイル油温低下処理における過度の油温低下を回避できアンダーシュートを発生させることがない。
【００５３】
なお、蓄熱タンク３１０から流量Ｑ（１）だけエンジンに冷却水（冷水）が供給されるとともに、ラジエータ４２０に冷却水が流される（Ｓ１９０、Ｓ２００）。ラジエータ４２０において冷却水が放熱され、エンジン冷却水ＴＨＷ（１）をより効率的に低下させ、エンジンオイル油温をより効率的に低下させることができる。
【００５４】
＜エンジン冷却水温上昇処理（エンジンオイル油温上昇処理）＞
エンジン冷却水温ＴＨＷ（１）がエンジン冷却水温の適正水温領域における低温側しきい値以下である場合にはエンジン冷却水温が低すぎる（エンジンオイル油温も低すぎる）として、また、エンジン冷却水温ＴＨＷの時間変化率ｄＴＨＷ（１）／ｄｔがエンジン冷却水温の適正水温領域に対応する温度低下側しきい値（変化率）以下である場合にはエンジン冷却水温の低下傾向が大きすぎる（エンジンオイル油温の低下傾向も大きすぎる）として、エンジン冷却水温ＴＨＷ（１）を上昇させて、エンジンオイル油温を上昇させるように処理される。
【００５５】
エンジン冷却水温ＴＨＷ（１）に対して、蓄熱タンク水温ＴＨＷ（２）が十分に高いと（Ｓ２１０にてＹＥＳ）、蓄熱タンク３１０内の冷却水（温水）を用いてエンジン冷却水温ＴＨＷ（１）を上昇させることができる。このとき、エンジン冷却水温ＴＨＷ（１）自体やその時間変化率に基づいてエンジン冷却水温ＴＨＷ（１）またはエンジンオイル油温の到達温度が予測されて、オーバーシュートが発生しないようなエンジン冷却水温上昇用供給水量Ｑ（２）が算出される。
【００５６】
図５に、このような動作の状態を示す。図５に示すように、従来においては一点鎖線で示すように、エンジン冷却水温上昇処理（エンジンオイル油温上昇処理）において、エンジンオイル油温が適正油温範囲（たとえば十分な油圧を確保できない領域）を上回ってしまうオーバーシュートが発生していた。すなわち、エンジンオイル油温を考慮した制御が行なわれないで、エンジン冷却水温度による、いわゆる「なりゆき制御」となっていた。このときに、油温が上昇して十分な油圧を確保できない事態を誘引していた。一方、本発明に係る制御装置においては、実線で示すように、エンジンオイル油温上昇処理における過度の油温上昇を回避できオーバーシュートを発生させることがない。
【００５７】
なお、蓄熱タンク３１０から流量Ｑ（２）だけエンジンに冷却水（温水）が供給されるとともに、ラジエータバイパス通路４１０に冷却水が流される（Ｓ２３０、Ｓ２４０）。ラジエータ４２０において冷却水が放熱されず、エンジン冷却水ＴＨＷ（１）をより効率的に上昇させ、エンジンオイル油温をより効率的に上昇させることができる。
【００５８】
以上のようにして、本実施の形態に係る蓄熱システムおよびその制御装置であるエンジンＥＣＵによると、エンジンオイル油温が適正温度範囲の上限値よりも高いと蓄熱タンク内の冷水をエンジンに流量Ｑ（１）だけ供給するようにしてエンジン冷却水温を低下せしめてエンジンオイル油温を低下せしめ、エンジン冷却水温が適正温度範囲の下限値よりも低いと蓄熱タンク内の温水をエンジンに流量Ｑ（２）だけ供給するようにしてエンジン冷却水温を上昇せしめてエンジンオイル油温を上昇せしめる。このときに、検知されたエンジン冷却水温やその時間変化率等に基づいて、適正温度範囲からのオーバーシュートやアンダーシュートが発生しないように到達するエンジン冷却水温やエンジンオイル油温を予測して供給流量Ｑ（１）やＱ（２）を算出する。このようにして、温度安定性を高めることができ、エンジンオイルの温度安定性も高まり十分な油圧を確保しつつ摺動抵抗を低減できて、燃費を向上させることができる。
【００５９】
＜第２の実施の形態＞
以下、図２、図４に共通して使用できる他の蓄熱システムの制御ブロック図について説明する。
【００６０】
図６に示すように、この蓄熱システムも、前述の第１の実施の形態と同様、エンジンＥＣＵ１０００により制御される。図１に示す制御ブロック図と異なる点は、三方弁６１０の位置である。
【００６１】
この三方弁６１０は、前述の第１の実施の形態において説明した図１の三方弁６００と同じ機能を有するが、その位置が異なる。このような図６に示す蓄熱システムにおいても、図２、図４に示すフローチャートにより表わされるプログラムをエンジンＥＣＵ１０００により実行することにより、エンジンオイル油温を、その下限が、粘度が低く摺動抵抗が低い温度領域であって、その上限が十分な油圧を確保できる温度領域に、収めることができ、油圧を確保しつつエンジンフリクションロスを低下させて燃費を向上させることができる。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６３】
【図１】本発明の第１の実施の形態に係る蓄熱システムの制御ブロック図である。
【図２】図１のエンジンＥＣＵで実行されるプログラムの制御構造を示すフローチャートを示す図（その１）である。
【図３】図１のエンジンＥＣＵで実行されるプログラムの制御構造を示すフローチャートを示す図（その２）である。
【図４】図１のエンジンＥＣＵで実行されるプログラムの制御構造を示すフローチャートを示す図（その３）である。
【図５】本発明の実施の形態に係る蓄熱システムにおけるタイミングチャートを示す図である。
【図６】本発明の第２の実施の形態に係る蓄熱システムの制御ブロック図である。
【符号の説明】
【００６４】
１００  シリンダヘッド、１１０  シリンダブロック、１２０  エンジン冷却水温度センサ、２００  機械式ウォータポンプ、３００  電動式ウォータポンプ、３１０  蓄熱タンク、３２０  蓄熱タンク出口温度センサ、４００  ラジエータ、４１０  ラジエータバイパス通路、４２０  ラジエータ出口水温センサ、４３０  流量制御弁、５００  ヒータコア、６００，６１０  三方弁、１０００  エンジンＥＣＵ。
【図１】
2006161744.tif 000003
【図２】
2006161744.tif 000004
【図３】
2006161744.tif 000005
【図４】
2006161744.tif 000006
【図５】
2006161744.tif 000007
【図６】
2006161744.tif 000008